(57)【要約】【課題】リーダライタによるバッテリの消耗を防ぐことができるようにする。【解決手段】操作信号検出部９１は、ユーザによる機能の動作の指示を検出し、カードリーダライタ電源制御部９２は、操作が検出された場合、カードリーダライタ７１に、バッテリ８２から出力される電力が供給されるようにして駆動させる。NFCカード認証部９３は、NFCカードと近接通信が可能となる場合、そのNFCカードを認証し、カムコーダ制御部９４は、NFCカードが正当であると認証された場合、検出された操作に対応する機能の動作を制御することで、リーダライタによるバッテリの消耗を防ぐことができる。本発明は、カムコーダに適用できる。【選択図】図６
2007304870.tif 000002
【特許請求の範囲】
【請求項１】
バッテリにより駆動される情報処理装置であって、自分と近接通信をすることが可能な電子機器と近接通信を行うリーダライタを備える情報処理装置において、
ユーザの操作による機能の動作の指示を検出する検出手段と、
前記操作が検出された場合、前記バッテリから出力される電力が前記リーダライタに供給されるようにして、前記リーダライタを駆動するように制御する第１の制御手段と、
前記バッテリで駆動する前記リーダライタによって、前記電子機器との近接通信が可能となる場合、前記電子機器を認証する認証手段と、
前記電子機器が正当であると認証された場合、検出された前記操作に対応する機能の動作を制御する第２の制御手段と
を備え、
前記第１の制御手段は、前記ユーザによる操作が終了した場合、前記電力の前記リーダライタへの供給を停止して、前記リーダライタの駆動を停止するように制御する
情報処理装置。
【請求項２】
前記第２の制御手段は、前記ユーザの操作によって、自分の主電源をオンさせるための動作の指示がされた場合、前記バッテリからの電力が自分の各部に供給されるように前記バッテリの動作を制御する
請求項１に記載の情報処理装置。
【請求項３】
前記第２の制御手段は、前記ユーザの操作によって、撮像された被写体の画像に対応した画像データを記録する動作を有効にさせるための動作の指示がされた場合、その記録する動作を行うことができるように自分の各部の動作を制御する
請求項１に記載の情報処理装置。
【請求項４】
前記第２の制御手段は、前記ユーザの操作によって、暗号化または復号化の鍵を設定させるための動作の指示がされた場合、前記近接通信により、前記電子機器から前記鍵を取得させ、取得された前記鍵が記録または再生の動作を行う各部で設定されるように、自分の各部の動作を制御する
請求項１に記載の情報処理装置。
【請求項５】
前記第２の制御手段は、前記ユーザの操作によって、前記電子機器により記憶されている、自分が有している各種の機能を示す情報を含んでいる機能情報を取得するための動作の指示がされた場合、近接通信により、前記電子機器から前記機能情報を取得させ、取得された前記機能情報に含まれる情報に対応する機能の動作を制御する
請求項１に記載の情報処理装置。
【請求項６】
前記機能情報は、自分の主電源をオンさせる動作を指示するための文字列、撮像された被写体の画像に対応した画像データを記録する動作を有効にさせる動作を指示するための文字列、または暗号化若しくは復号化の鍵を設定させるための動作を指示するための文字列である
請求項５に記載の情報処理装置。
【請求項７】
バッテリにより駆動される情報処理装置であって、自分と近接通信をすることが可能な電子機器と近接通信を行うリーダライタを備える情報処理装置の情報処理方法において、
ユーザの操作による機能の動作の指示を検出する検出ステップと、
前記操作が検出された場合、前記バッテリから出力される電力が前記リーダライタに供給されるようにして、前記リーダライタを駆動するように制御する第１の制御ステップと、
前記バッテリで駆動する前記リーダライタによって、前記電子機器との近接通信が可能となる場合、前記電子機器を認証する認証ステップと、
前記電子機器が正当であると認証された場合、検出された前記操作に対応する機能の動作を制御する第２の制御ステップと
を含み、
前記第１の制御ステップは、前記ユーザによる操作が終了した場合、前記電力の前記リーダライタへの供給を停止して、前記リーダライタの駆動を停止するように制御する
情報処理方法。
【請求項８】
バッテリにより駆動される情報処理装置であって、自分と近接通信をすることが可能な電子機器と近接通信を行うリーダライタを備える情報処理装置の情報処理を、コンピュータに行わせるプログラムにおいて、
ユーザの操作による機能の動作の指示を検出する検出ステップと、
前記操作が検出された場合、前記バッテリから出力される電力が前記リーダライタに供給されるようにして、前記リーダライタを駆動するように制御する第１の制御ステップと、
前記バッテリで駆動する前記リーダライタによって、前記電子機器との近接通信が可能となる場合、前記電子機器を認証する認証ステップと、
前記電子機器が正当であると認証された場合、検出された前記操作に対応する機能の動作を制御する第２の制御ステップと
を含み、
前記第１の制御ステップは、前記ユーザによる操作が終了した場合、前記電力の前記リーダライタへの供給を停止して、前記リーダライタの駆動を停止するように制御する
プログラム。
【発明の詳細な説明】
【技術分野】
【０００１】
本発明は、情報処理装置および方法、並びにプログラムに関し、特に、リーダライタによるバッテリの消耗を防ぐことができるようにした情報処理装置および方法、並びにプログラムに関する。
【背景技術】
【０００２】
近年、IC(Integrated Circuit)チップを内蔵したICカードおよびICカードと近接通信を行うリーダライタからなるシステムが普及している。また、近接通信を行うための通信規格としては、例えば、NFC（Near Field Communication）がある。このNFCによる近接通信を利用したシステムとしては、図１に示すように、ユーザ認証、データ保管、データ交換を目的とする利用方法が拡大しており、カムコーダ１などのモバイル機器でのNFCカード２の利用も考えられるようになってきた。
【０００３】
NFCによる近接通信においては、図２に示すように、カードリーダライタ１１は、電磁波を出力して磁界を形成し、NFCにより近接通信を行うNFCカード２がカードリーダライタ１１に近づけられると、NFCカード２は、電磁誘導によって電力の供給を受ける。そして、NFCカード２は、駆動に必要な電力が供給されると、カードリーダライタ１１と通信可能となる。これにより、NFCカード２とカードリーダライタ１１との通信路が開通し、カードリーダライタ１１は、ホストコントローラ１２の制御に基づいて、NFCカード２に記憶されている各種の情報を読み出したり、書き込んだりすることが可能となる。
【０００４】
また、本出願人は、RFID（Radio Frequency Identification）部が非接触型ICカード回路と、リーダライタ回路を備えている携帯型情報処理端末装置を先に提案している（例えば、特許文献１参照）。
【０００５】
【特許文献１】特開２００５−２１７９４６号公報
【発明の開示】
【発明が解決しようとする課題】
【０００６】
しかしながら、バッテリにより駆動される機器に内蔵されたリーダライタは、待ち受け状態でいるだけでバッテリを消耗してしまい、本来、その機器が有している機能を使用できなくなることがあるという問題があった。
【０００７】
具体的には、上述した、NFCカード２は、メモリカードと比べると記憶容量は小さいものの、記憶させるデータの安全性において優位性があり、特に、秘密情報を取り扱う種々のアプリケーションプログラムでの運用モデルでの実績がある。しかし、現実には、カムコーダ１などのモバイル機器にカードリーダライタ１１を搭載しようとする場合、バッテリ駆動時におけるカードリーダライタ１１の消費電流が問題となる。そして、その問題の主原因は、カードリーダライタ１１の待ち受け電流にある。
【０００８】
ここで、カードリーダライタ１１が駆動するためには、そのカードリーダライタ１１に対して電源の供給が必要となるが、カードリーダライタ１１に対してNFCカード２が翳されていない期間の待ち受け電流は、一般的なカードリーダライタの場合、例えば、250mW（5V，50mA）乃至1.32W（12V，110mA）程度である。これに対し、バッテリ駆動の民生用のカムコーダの消費電力は、例えば、4.1Wである。したがって、カムコーダ１などのモバイル機器にカードリーダライタ１１を組み込んだ場合、長時間待ち受け状態にいるだけでバッテリを消耗してしまい、そのカムコーダ１が本来有している、記録や再生動作などの主機能を使用できる時間が短くなってしまうという問題が発生してしまう。
【０００９】
例えば、特開２００５−２１７９４６号公報で提案されている携帯型情報処理端末装置においては、非接触型ICカード回路とリーダライタ回路の両方が設けられているが、リーダライタ回路は、待ち受け状態でいるだけでバッテリを消費している。
【００１０】
また、図３では、携帯電話機２１は、NFCによる近接通信を行うためのNFCチップ２６と、通信用のアンテナ（図示せず）を内蔵している。その携帯電話機２１と近接通信を行うカードリーダライタ３１は、携帯電話機２１の外部に設けられる機器であるので、カードリーダライタ３１の動作によって携帯電話機２１のバッテリが消耗することはない（すなわち、このとき、NFCチップ２６は、電磁誘導により電力の供給を受ける）。しかし、この場合、携帯電話機２１は、リーダライタ機能を有していないので、NFCカード２との直接通信を行うことができないため、使用できるアプリケーションプログラムが限定されてしまうという問題がある。
【００１１】
さらにまた、ノートパソコン４１は、カードリーダライタ１１と同様の機能を有するカードリーダライタ４６を内蔵している。バッテリ駆動しているノートパソコン４１では、カードリーダライタ４６の待ち受け電流によるバッテリ消耗の問題が発生する。この問題の対応として、例えば、カードリーダライタ４６への電源供給そのものを停止することはできないものの、ソフトウェアにより消費電力の設定を行うことで、ある程度の消費電力を抑える方法も提案されている。しかし、この提案では、消費電力をゼロにできるものではなく、さらにその副作用としてNFCカード２をカードリーダライタ４６のより近くに翳す必要があるという新たな課題もでてくる。
【００１２】
以上のように、モバイル機器において、NFCカードのアプリケーションプログラムを拡大させるためには、カードリーダライタの待ち受け電流によるバッテリの消耗を防ぐことと同時に、その際のモバイル機器の使い勝手をよくすることを両立できる解決策が求められていると言える。
【００１３】
本発明はこのような状況に鑑みてなされたものであり、リーダライタによるバッテリの消耗を防ぐとともに、その際の機器の操作性を向上させることができるようにするものである。
【課題を解決するための手段】
【００１４】
本発明の一側面の情報処理装置は、バッテリにより駆動される情報処理装置であって、自分と近接通信をすることが可能な電子機器と近接通信を行うリーダライタを備える情報処理装置において、ユーザの操作による機能の動作の指示を検出する検出手段と、前記操作が検出された場合、前記バッテリから出力される電力が前記リーダライタに供給されるようにして、前記リーダライタを駆動するように制御する第１の制御手段と、前記バッテリで駆動する前記リーダライタによって、前記電子機器との近接通信が可能となる場合、前記電子機器を認証する認証手段と、前記電子機器が正当であると認証された場合、検出された前記操作に対応する機能の動作を制御する第２の制御手段とを備え、前記第１の制御手段は、前記ユーザによる操作が終了した場合、前記電力の前記リーダライタへの供給を停止して、前記リーダライタの駆動を停止するように制御する。
【００１５】
前記第２の制御手段には、前記ユーザの操作によって、自分の主電源をオンさせるための動作の指示がされた場合、前記バッテリからの電力が自分の各部に供給されるように前記バッテリの動作を制御させることができる。
【００１６】
前記第２の制御手段には、前記ユーザの操作によって、撮像された被写体の画像に対応した画像データを記録する動作を有効にさせるための動作の指示がされた場合、その記録する動作を行うことができるように自分の各部の動作を制御させることができる。
【００１７】
前記第２の制御手段には、前記ユーザの操作によって、暗号化または復号化の鍵を設定させるための動作の指示がされた場合、前記近接通信により、前記電子機器から前記鍵を取得させ、取得された前記鍵が記録または再生の動作を行う各部で設定されるように、自分の各部の動作を制御させることができる。
【００１８】
前記第２の制御手段には、前記ユーザの操作によって、前記電子機器により記憶されている、自分が有している各種の機能を示す情報を含んでいる機能情報を取得するための動作の指示がされた場合、近接通信により、前記電子機器から前記機能情報を取得させ、取得された前記機能情報に含まれる情報に対応する機能の動作を制御させることができる。
【００１９】
前記機能情報には、自分の主電源をオンさせる動作を指示するための文字列、撮像された被写体の画像に対応した画像データを記録する動作を有効にさせる動作を指示するための文字列、または暗号化若しくは復号化の鍵を設定させるための動作を指示するための文字列であるようにさせることができる。
【００２０】
本発明の一側面の情報処理方法は、バッテリにより駆動される情報処理装置であって、自分と近接通信をすることが可能な電子機器と近接通信を行うリーダライタを備える情報処理装置の情報処理方法において、ユーザの操作による機能の動作の指示を検出する検出ステップと、前記操作が検出された場合、前記バッテリから出力される電力が前記リーダライタに供給されるようにして、前記リーダライタを駆動するように制御する第１の制御ステップと、前記バッテリで駆動する前記リーダライタによって、前記電子機器との近接通信が可能となる場合、前記電子機器を認証する認証ステップと、前記電子機器が正当であると認証された場合、検出された前記操作に対応する機能の動作を制御する第２の制御ステップとを含み、前記第１の制御ステップは、前記ユーザによる操作が終了した場合、前記電力の前記リーダライタへの供給を停止して、前記リーダライタの駆動を停止するように制御する。
【００２１】
本発明の一側面のプログラムは、バッテリにより駆動される情報処理装置であって、自分と近接通信をすることが可能な電子機器と近接通信を行うリーダライタを備える情報処理装置の情報処理を、コンピュータに行わせるプログラムにおいて、ユーザの操作による機能の動作の指示を検出する検出ステップと、前記操作が検出された場合、前記バッテリから出力される電力が前記リーダライタに供給されるようにして、前記リーダライタを駆動するように制御する第１の制御ステップと、前記バッテリで駆動する前記リーダライタによって、前記電子機器との近接通信が可能となる場合、前記電子機器を認証する認証ステップと、前記電子機器が正当であると認証された場合、検出された前記操作に対応する機能の動作を制御する第２の制御ステップとを含み、前記第１の制御ステップは、前記ユーザによる操作が終了した場合、前記電力の前記リーダライタへの供給を停止して、前記リーダライタの駆動を停止するように制御する。
【００２２】
本発明の一側面の情報処理装置においては、ユーザの操作による機能の動作の指示が検出され、操作が検出された場合、バッテリから出力される電力がリーダライタに供給されるようにして、リーダライタが駆動するように制御され、バッテリで駆動するリーダライタによって、電子機器との近接通信が可能となる場合、電子機器が認証され、電子機器が正当であると認証された場合、検出された操作に対応する機能の動作が制御され、ユーザによる操作が終了した場合、電力のリーダライタへの供給を停止して、リーダライタの駆動が停止するように制御される。
【発明の効果】
【００２３】
以上のように、本発明の一側面によれば、リーダライタによるバッテリの消耗を防ぐことができる。特に、本発明の一側面によれば、リーダライタ機能を有するカムコーダのバッテリの消耗を防ぐとともに、そのカムコーダの操作性を向上させることができる。
【発明を実施するための最良の形態】
【００２４】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２５】
本発明の一側面の情報処理装置は、バッテリ（例えば、図６のバッテリ８２）により駆動される情報処理装置（例えば、図６のカムコーダ６１）であって、自分と近接通信をすることが可能な電子機器（例えば、図５のNFCカード６２）と近接通信を行うリーダライタ（例えば、図６のカードリーダライタ７１）を備える情報処理装置において、ユーザの操作による機能の動作の指示を検出する検出手段（例えば、図６の操作信号検出部９１）と、前記操作が検出された場合、前記バッテリから出力される電力が前記リーダライタに供給されるようにして、前記リーダライタを駆動するように制御する第１の制御手段（例えば、図６のカードリーダライタ電源制御部９２）と、前記バッテリで駆動する前記リーダライタによって、前記電子機器との近接通信が可能となる場合、前記電子機器を認証する認証手段（例えば、図６のNFCカード認証部９３）と、前記電子機器が正当であると認証された場合、検出された前記操作に対応する機能の動作を制御する第２の制御手段（例えば、図６のカムコーダ制御部）とを備え、前記第１の制御手段は、前記ユーザによる操作が終了した場合、前記電力の前記リーダライタへの供給を停止して、前記リーダライタの駆動を停止するように制御する。
【００２６】
前記第２の制御手段は、前記ユーザの操作によって、自分の主電源をオンさせるための動作の指示がされた場合、前記バッテリからの電力が自分の各部に供給されるように前記バッテリの動作を制御する（例えば、図６の主電源制御部９４ａによる、図９のステップＳ１６の処理）ことができる。
【００２７】
前記第２の制御手段は、前記ユーザの操作によって、撮像された被写体の画像に対応した画像データを記録する動作を有効にさせるための動作の指示がされた場合、その記録する動作を行うことができるように自分の各部の動作を制御する（例えば、図６の記録動作制御部９４ｂによる、図１０のステップＳ３６の処理）ことができる。
【００２８】
前記第２の制御手段は、前記ユーザの操作によって、暗号化または復号化の鍵を設定させるための動作の指示がされた場合、前記近接通信により、前記電子機器から前記鍵を取得させ、取得された前記鍵が記録または再生の動作を行う各部で設定されるように、自分の各部の動作を制御する（例えば、図６の暗号鍵取得制御部９４ｃによる、図１１のステップＳ５６の処理）ことができる。
【００２９】
前記第２の制御手段は、前記ユーザの操作によって、前記電子機器により記憶されている、自分が有している各種の機能を示す情報を含んでいる機能情報を取得するための動作の指示がされた場合、近接通信により、前記電子機器から前記機能情報を取得させ（例えば、図１５のファイル取得制御部１３１ａによる、図１６のステップＳ７６の処理）、取得された前記機能情報に含まれる情報に対応する機能の動作を制御する（例えば、図１５のカムコーダ動作制御部１３１ｂによる、図１６のステップＳ７７の処理）ことができる。
【００３０】
前記機能情報は、自分の主電源をオンさせる動作を指示するための文字列（例えば、図１４の“power”である文字列）、撮像された被写体の画像に対応した画像データを記録する動作を有効にさせる動作を指示するための文字列（例えば、図１４の“rec_enable”である文字列）、または暗号化若しくは復号化の鍵を設定させるための動作を指示するための文字列（例えば、図１４の“key”である文字列）であるようにすることができる。
【００３１】
本発明の一側面の情報処理方法またはプログラムは、バッテリにより駆動される情報処理装置であって、自分と近接通信をすることが可能な電子機器と近接通信を行うリーダライタを備える情報処理装置の情報処理方法、またはバッテリにより駆動される情報処理装置であって、自分と近接通信をすることが可能な電子機器と近接通信を行うリーダライタを備える情報処理装置の情報処理を、コンピュータに行わせるプログラムにおいて、ユーザの操作による機能の動作の指示を検出する検出ステップ（例えば、図９のステップＳ１１の処理）と、前記操作が検出された場合、前記バッテリから出力される電力が前記リーダライタに供給されるようにして、前記リーダライタを駆動するように制御する第１の制御ステップ（例えば、図９のステップＳ１２の処理）と、前記バッテリで駆動する前記リーダライタによって、前記電子機器との近接通信が可能となる場合、前記電子機器を認証する認証ステップ（例えば、図９のステップＳ１４の処理）と、前記電子機器が正当であると認証された場合、検出された前記操作に対応する機能の動作を制御する第２の制御ステップ（例えば、図９のステップＳ１６の処理）とを含み、前記第１の制御ステップは、前記ユーザによる操作が終了した場合、前記電力の前記リーダライタへの供給を停止して、前記リーダライタの駆動を停止するように制御する（例えば、図９のステップＳ１８の処理）。
【００３２】
以下、図面を参照しながら本発明の実施の形態について説明する。
【００３３】
図５は、本発明を適用したカムコーダ６１と、NFCカード６２からなるシステム（以下、NFCカードシステム５１と称する）の一実施の形態の構成を示すブロック図である。
【００３４】
NFCカードシステム５１においては、リーダライタ機能を有しているカムコーダ６１と、NFCカード６２とは、例えば、13.56MHzなどの所定の周波数の電波を利用して無線により通信を行う。なお、このとき、カムコーダ６１とNFCカード６２による近接通信を行うための通信規格としては、例えば、NFCが利用される。
【００３５】
カムコーダ６１は、カメラ一体型のビデオレコーダであって、バッテリにより駆動されるとともに、NFCカード６２と近接通信を行うためのリーダライタ機能を有している情報処理装置の一例である。カムコーダ６１は、リーダライタ機能を有し、無線により通信を行うNFCチップなどの無線ICタグを内蔵したNFCカード６２との間で、所定の周波数の搬送波を使用した、電磁誘導による近接通信を行う。
【００３６】
カムコーダ６１には、NFCカード６２と近接通信するための、図６を参照して後述するカードリーダライタ７１が内蔵されており、そのアンテナであるカードリーダライタアンテナ部７１Ａは、例えば、液晶パネルなどの表示ディスプレイからなる表示部の部位に設けられる。これにより、カムコーダ６１は、例えば、ユーザにより、NFCカード６２が翳された場合、そのNFCカード６２と近接通信を行うことになる。
【００３７】
また、カムコーダ６１には、カムコーダ６１の電源を投入するための電源スイッチS1、カムコーダ６１における記録動作のイネーブル（enable（有効））とディスエーブル（disable（無効））とを切り替えるための記録イネーブルスイッチS2、およびカムコーダ６１の記録動作時の暗号化や再生動作時の復号化の鍵を設定するための暗号化鍵設定スイッチS3が設けられている。
【００３８】
NFCカード６２は、例えば、NFCチップやアンテナなどを内蔵し、リーダライタ機能を有しているカムコーダ６１との間で、近接通信を行う。すなわち、ユーザがNFCカード６２をカムコーダ６１に翳すことにより、NFCカード６２では、カードリーダライタアンテナ部７１Ａから放射される電磁波が電源供給の役割を果たして、NFCカード６２の内部回路が起動され、カムコーダ６１とNFCカード６２との通信路が開通するので、カムコーダ６１は、NFCカード６２内の情報の読み出しや書き込みを行うことが可能となる。
【００３９】
図６は、カムコーダ６１の詳細な構成の例を示すブロック図である。
【００４０】
カムコーダ６１は、電源スイッチS1、記録イネーブルスイッチS2、暗号化鍵設定スイッチS3、カードリーダライタ７１、カムコーダ機能ブロック８１、バッテリ８２、およびカードリーダライタ電源継電部８３を含むようにして構成される。また、カードリーダライタ７１は、カードリーダライタアンテナ部７１Ａと、カードリーダライタコントローラ部７１Ｂからなり、カードリーダライタ電源継電部８３は、カードリーダライタ電源スイッチS4からなる。
【００４１】
電源スイッチS1は、ユーザにより押し下げられた場合、自分が押し下げられていることを示す信号（以下、操作信号と称する）をカムコーダ機能ブロック８１に供給する。同様に、記録イネーブルスイッチS2は、ユーザにより押し下げられた場合、操作信号をカムコーダ機能ブロック８１に供給し、暗号化鍵設定スイッチS3は、ユーザにより押し下げられた場合、操作信号をカムコーダ機能ブロック８１に供給する。
【００４２】
カムコーダ機能ブロック８１は、電源スイッチS1乃至暗号化鍵設定スイッチS3からの操作信号に基づいて、カードリーダライタ７１、バッテリ８２、またはカードリーダライタ電源継電部８３を制御することにより、カードリーダライタ７１への電源の供給を制御する。また、カムコーダ機能ブロック８１は、電源スイッチS1乃至暗号化鍵設定スイッチS3からの操作信号に応じた、カムコーダ６１の各種の動作を制御する。
【００４３】
カムコーダ機能ブロック８１は、操作信号検出部９１、カードリーダライタ電源制御部９２、NFCカード認証部９３、およびカムコーダ制御部９４を含むようにして構成される。
【００４４】
操作信号検出部９１は、電源スイッチS1乃至暗号化鍵設定スイッチS3から供給される操作信号に基づいて、ユーザによるカムコーダ６１の操作を検出する。操作信号検出部９１は、検出の結果に基づいて、ユーザにより電源スイッチS1乃至暗号化鍵設定スイッチS3が押し下げられたか、または押し下げられていた電源スイッチS1乃至暗号化鍵設定スイッチS3が解除されたかを検出し、その検出の結果をカードリーダライタ電源制御部９２またはNFCカード認証部９３に供給する。
【００４５】
カードリーダライタ電源制御部９２は、操作信号検出部９１から供給される各種のスイッチの検出の結果に基づいて、カードリーダライタ電源スイッチS4のスイッチング動作を制御するための制御信号Scをカードリーダライタ電源継電部８３に供給する。これにより、カードリーダライタ電源継電部８３では、カードリーダライタ電源スイッチS4は、スイッチング動作をして、カードリーダライタ７１への電源の供給を制御することになる。
【００４６】
NFCカード認証部９３は、カードリーダライタ７１と近接通信を行っているNFCカード６２が正当なNFCカードであるかを認証する。NFCカード認証部９３は、NFCカード６２が正当なNFCカードである場合、操作信号検出部９１からの、操作信号の検出結果をカムコーダ制御部９４に供給する。具体的には、NFCカード認証部９３は、NFCカード６２にあらかじめ記憶されている認証情報と、カムコーダ６１にあらかじめ記憶されているNFCカード６２の認証情報とを比較することにより、認証の認証の処理を行う。
【００４７】
ここで、認証の処理では、例えば、カムコーダ機能ブロック８１の内部に備えるメモリ（図示せず）には、NFCカード６２の製造IDなどの認証情報があらかじめ登録されており、それらの認証情報に対応する製造IDなどの認証情報がNFCカード６２から送信されてくるので、NFCカード認証部９３は、それらの製造IDなどの認証情報を比較して、認証の対象となっているNFCカード６２、すなわち、ユーザは登録されているかを認証する。
【００４８】
なお、NFCカード６２を認証するための認証情報は、製造IDの他に、例えば、NFCカード６２に設けられているNFCチップのIDなどの、NFCカード６２が正当であることを認証することができる情報であればよい。また、この認証の処理をカードリータライタコントローラ部７１Ｂが行うことにより、NFCカード認証部９３は、シリアル通信路８４を介して、カードリータライタコントローラ部７１Ｂから認証の結果を取得するようにしてもよい。
【００４９】
カムコーダ制御部９４は、NFCカード認証部９３から供給される操作信号の検出結果に応じて、カムコーダ６１の各種の動作を制御する。カムコーダ制御部９４は、主電源制御部９４ａ、記録動作制御部９４ｂ、および暗号鍵取得制御部９４ｃを含むように構成される。
【００５０】
主電源制御部９４ａは、カムコーダ６１の主電源をオンする。具体的には、主電源制御部９４ａは、NFCカード認証部９３からの電源スイッチS1が押し下げられたことを示す操作信号に基づいて、バッテリ８２からカムコーダ６１の各部（例えば、カムコーダ機能ブロック８１の記録や再生の動作を行うブロック（図示せず）など）への電源の供給を開始させる制御を行う。これにより、カムコーダ６１は、ユーザによる操作に基づいて、記録や再生動作などを行うことが可能となる。
【００５１】
なお、説明を簡易にするために、図６の例では、バッテリ８２からの電源がカムコーダ機能ブロック８１に供給されるように表現しているが、より正確には、例えば、カムコーダ６１の主電源がオフされている状態でも、バッテリ８２は、待機電力をカムコーダ機能ブロック８１に供給している。すなわち、カムコーダ機能ブロック８１は、カムコーダ６１の主電源がオフしていても、バッテリ８２からの待機電力により動作することが可能となる。
【００５２】
記録動作制御部９４ｂは、カムコーダ６１の記録動作のイネーブルとディスエーブルとを交互に切り替える。具体的には、記録動作制御部９４ｂは、NFCカード認証部９３からの記録イネーブルスイッチS2が押し下げられたことを示す操作信号に基づいて、カムコーダ６１の記録動作のイネーブルとディスエーブルとを切り替える制御を行う。すなわち、このとき、記録動作制御部９４ｂは、カムコーダ６１の各部を制御して、カムコーダ６１が記録動作を行うことができるようにする。これにより、カムコーダ６１は、ユーザによる操作に基づいて、各種の記録動作を行うことが可能となる。
【００５３】
暗号鍵取得制御部９４ｃは、NFCカード６２から暗号化または復号化の鍵を取得する。具体的には、暗号鍵取得制御部９４ｃは、シリアル通信路８４を介してカードリーダライタ７１を制御して、近接通信によりNFCカード６２から鍵を受信させることで、暗号化または復号化の鍵を取得する。暗号鍵取得制御部９４ｃは、取得した鍵を、例えば、カムコーダ６１の記録や再生動作を行う各部に供給する。これにより、カムコーダ６１では、この暗号化または復号化の鍵によって、例えば、NFCカード６２の持ち主の操作により記録された記録媒体は、そのNFCカード６２の持ち主だけが再生させることができる。
【００５４】
カードリーダライタ７１と、カムコーダ機能ブロック８１とは、シリアル通信路８４を介して接続される。カードリータライタ７１は、シリアル通信路８４を介してカムコーダ機能ブロック８１の制御に基づいて、NFCカード６２と近接通信を行う。また、カードリータライタ７１は、バッテリ８２から供給される電源により駆動する。
【００５５】
カードリーダライタ７１においては、カードリーダライタアンテナ部７１Ａは、NFCカード６２から送信される変調波を電波として受信し、受信した変調波をカードリーダライタコントローラ部７１Ｂに供給する。そして、カードリーダライタコントローラ部７１Ｂは、カードリーダライタアンテナ部７１Ａからの変調波を復調し、その復調されたデータの符号化方式に対応する方式により復号化し、その復号化したデータをシリアル通信路８４を介して、カムコーダ機能ブロック８１に供給する。
【００５６】
また、カードリーダライタコントローラ部７１Ｂは、例えば、シリアル通信路８４を介してカムコーダ機能ブロック８１から供給されるデータを所定の方式により符号化し、さらに、その符号化されたデータを所定の方式により変調してカードリーダライタアンテナ部７１Ａに供給する。そして、カードリーダライタアンテナ部７１Ａは、カードリーダライタコントローラ部７１Ｂから供給される変調波を伝送するための電波を放射する。これにより、NFCカード６２は、近接通信により、カードリータライタ７１から送信されるデータを受信することになる。
【００５７】
バッテリ８２は、例えば、リチウムイオンや鉛などのバッテリ（蓄電池）である蓄電素子から構成される。バッテリ８２は、カムコーダ６１の各部の他に、カードリーダライタ７１とカムコーダ機能ブロック８１に電源を供給する。なお、バッテリ８２は、例えば、ニッカド電池やニッケル水素電池などの２次電池の他の種類を用いることはもちろん、例えば、マンガン乾電池やアルカリ乾電池などの１次電池などを用いることも可能である。
【００５８】
カードリーダライタ電源継電部８３は、カードリーダライタ電源制御部９２から供給される制御信号Scに基づいて、バッテリ８２からの電源をカードリーダライタ７１に供給したり、その電源の供給を停止したりして、カードリーダライタ７１への電源の供給を切り替える動作を行う。
【００５９】
具体的には、カードリーダライタ電源継電部８３においては、カードリーダライタ電源スイッチS4は、カードリーダライタ電源制御部９２から供給される制御信号Scに基づいて、スイッチング動作を行って、カードリーダライタ７１への電源の供給を切り替える。
【００６０】
換言すれば、カードリーダライタ電源制御部９２は、制御信号Scをカードリーダライタ電源スイッチS4に出力して、カードリーダライタ７１に電源を供給する場合、カードリーダライタ電源スイッチS4をオンにし、カードリーダライタ７１への電源の供給を停止する場合、カードリーダライタ電源スイッチS4をオフにするように制御しているとも言える。すなわち、カードリーダライタ電源制御部９２は、制御信号Scをカードリーダライタ電源継電部８３に供給することにより、カードリーダライタ７１に供給する電源を制御する。
【００６１】
なお、説明を簡易にするために図示はしていないが、もちろん、カムコーダ６１は、例えば、記録や再生などの動作を行うことができるので、例えば、撮像部や画像処理部などのそれらの動作を実現するために必要となる各種のブロックも有している。
【００６２】
図７は、カードリーダライタ７１の詳細な構成の例を説明するブロック図である。
【００６３】
カードリーダライタ７１は、上述したように、カードリーダライタアンテナ部７１Ａおよびカードリーダライタコントローラ部７１Ｂから構成され、カードリーダライタコントローラ部７１Ｂは、制御部７１ａ、通信部７１ｂ、SPU（Signal Processing Unit）７１ｃ、変調部７１ｄ、発振回路７１ｅ、および復調部７１ｆを含むようにして構成される。また、図６と対応する部分については、同一の符号を付してあり、処理が同じ部分に関しては、その説明は繰り返しになるので省略する。
【００６４】
制御部７１ａは、カードリーダライタコントローラ部７１Ｂの各部の動作を制御する。
【００６５】
通信部７１ｂは、シリアル通信路８４と接続するための所定のインターフェースとして構成され、制御部７１ａの制御に基づいて、シリアル通信路８４を介してカムコーダ機能ブロック８１とデータの授受を行う。
【００６６】
SPU７１ｃは、制御部７１ａから供給される通信部７１ｂに入力されたデータを、所定の方式により符号化し、符号化されたデータを変調部７１ｄに供給する。変調部７１ｄは、発振回路７１ｅから供給された所定の周波数のクロック信号に基づいて、搬送波を生成する。変調部７１ｄは、例えば、13.56MHzの周波数のクロック信号を搬送波として、SPU７１ｃから供給される符号化されたデータを所定の方式により変調することにより、変調されたデータを生成し、そのデータ（変調波）をカードリーダライタアンテナ部７１Ａに供給する。
【００６７】
そして、カードリーダライタアンテナ部７１Ａは、変調部７１ｄから供給される変調波を伝送するための電波を輻射（放射）する。これにより、NFCカード６２は、近接通信により、カードリーダライタ７１からのデータを受信することになる。
【００６８】
また、カードリーダライタアンテナ部７１Ａは、近接通信により、NFCカード６２から送信される変調波を電波として受信し、受信した変調波を復調部７１ｆに供給する。
【００６９】
復調部７１ｆは、カードリーダライタアンテナ部７１Ａから供給される変調波を、図８を参照して後述するNFCカード６２の変調部６２Ｉの変調方式に対応する復調方式により復調し、復調されたデータをSPU７１ｃに供給する。SPU７１ｃは、復調部７１ｆから供給される復調されたデータを、データの符号化方式に対応する方式により復号化し、その復号化されたデータを制御部７１ａに供給する。
【００７０】
制御部７１ａは、SPU７１ｃから供給される復号化されたデータを通信部７１ｂに供給し、通信部７１ｂは、そのデータを、シリアル通信路８４を介して、カムコーダ機能ブロック８１に出力する。
【００７１】
図８は、NFCカード６２の詳細な構成の例を説明するブロック図である。
【００７２】
NFCカード６２は、制御部６２Ａ、アンテナ６２Ｂ、復調部６２Ｃ、SPU６２Ｄ、ROM（Read Only Memory）６２Ｅ、RAM（Random Access Memory）６２Ｆ、記憶部６２Ｇ、発振回路６２Ｈ、変調部６２Ｉ、および電力発生部６２Ｊを含むようにして構成される。
【００７３】
制御部６２Ａは、NFCカード６２の各部の動作を制御する。
【００７４】
アンテナ６２Ｂは、カムコーダ６１のカードリーダライタ７１から送信される変調波を電波として受信し、受信した変調波を復調部６２Ｃに供給する。復調部６２Ｃは、アンテナ６２Ｂから供給された変調波を、図７の変調部７１ｄの変調方式に対応する復調方式により復調し、復調されたデータをSPU６２Ｄに供給する。
【００７５】
SPU６２Ｄは、復調部６２Ｃから供給される復調されたデータを所定の方式により復号化し、その復号化されたデータを制御部６２Ａに供給する。制御部６２Ａは、SPU６２Ｄから供給される復号化されたデータに応じて、各種の処理を実行する。
【００７６】
また、制御部６２Ａは、必要に応じて、ROM６２Ｅに記録されているプログラムを読み込み、読み込んだプログラムを実行する。制御部６２Ａは、必要に応じて、データをRAM６２Ｆに供給する。また、制御部６２Ａは、必要に応じて、RAM６２Ｆが一時的に記憶しているデータを取得する。
【００７７】
ROM６２Ｅは、制御部６２Ａが各種の処理を行うためのプログラム、その他のデータなどを記録している。ROM６２Ｅは、記録しているプログラム、その他のデータなどを制御部６２Ａに供給する。RAM６２Ｆは、制御部６２Ａが各種の処理を行うとき、その処理の途中のデータなどを一時的に記憶する。RAM６２Ｆは、記憶しているデータを制御部６２Ａに供給する。
【００７８】
記憶部６２Ｇは、例えば、フラッシュメモリ、EEPROM（Electrically Erasable Programmable Read Only Memory）、MRAM（Magnetoresistive Random Access Memory（磁気抵抗メモリ））、またはFeRAM（強誘電体メモリ）などの不揮発性メモリなどにより構成され、カードリーダライタ７１に送信される、データなどの各種データを記憶している。
【００７９】
さらに、制御部６２Ａは、記憶部６２Ｇに記憶されているデータを取得し、取得したデータをSPU６２Ｄに供給する。SPU６２Ｄは、制御部６２Ａから供給されたデータを所定の符号化方式により符号化し、符号化されたデータを変調部６２Ｉに供給する。
【００８０】
発振回路６２Ｈは、アンテナ６２Ｂが受信するデータの周波数と同じ周波数のクロック信号を生成し、生成したクロック信号を変調部６２Ｉに供給する。変調部６２Ｉは、発振回路６２Ｈから供給される所定の周波数のクロック信号に基づいて、搬送波を生成する。変調部６２Ｉは、生成した搬送波に基づいて、SPU６２Ｄから供給される符号化されたデータを、所定の方式によって変調することにより、変調されたデータを生成し、その生成したデータ（変調波）をアンテナ６２Ｂに供給する。
【００８１】
そして、アンテナ６２Ｂは、変調部６２Ｉから供給される変調波を伝送するための電波を放射することで、近接通信により、その変調波をカードリーダライタ７１に送信する。
【００８２】
なお、アンテナ６２Ｂにおいては、カードリーダライタ７１から放射される所定の周波数の電波により、共振が生じることで起電力が発生する。そして、電力発生部６２Ｊは、アンテナ６２Ｂに生じた交流の起電力に基づいて、直流電力を発生させ、発生させた直流電力をNFCカード６２の各部に供給する。これにより、NFCカード６２は、その直流電力を利用して、各種の動作を行うことになる。
【００８３】
次に、図９乃至図１１のフローチャートを参照して、ユーザにより、電源スイッチS1乃至暗号化鍵設定スイッチS3が操作された場合における、図５のカムコーダ６１の動作について説明する。
【００８４】
まず、図９のフローチャートを参照して、図５のカムコーダ６１による、電源スイッチS1押し下げ時の処理について説明する。
【００８５】
カムコーダ機能ブロック８１は、例えば、ユーザがカムコーダ６１に対して所定の操作をしたとき、図９のフローチャートに示されている処理を各部に実行させる。
【００８６】
ステップＳ１１において、操作信号検出部９１は、電源スイッチS1からの、ユーザにより電源スイッチS1が押し下げられたことを示す操作信号を検出する。操作信号検出部９１は、検出の結果に基づいて、ユーザにより電源スイッチS1が押し下げられたかを判定する。
【００８７】
ステップＳ１１において、電源スイッチS1からの操作信号が検出されずに、ユーザにより電源スイッチS1が押し下げられていないと判定された場合、ステップＳ１１に戻り、上述した処理が繰り返される。すなわち、ユーザが電源スイッチS1を押し下げることにより、操作信号検出部９１は、電源スイッチS1からの操作信号を検出し、ステップＳ１１において、電源スイッチS1が押し下げられたと判定されるまで、ステップＳ１１の処理が繰り返される。
【００８８】
一方、ステップＳ１１において、電源スイッチS1が押し下げられたと判定された場合、ステップＳ１２において、カードリーダライタ電源制御部９２は、カードリーダライタ７１の電源をオンする。具体的には、カードリーダライタ電源制御部９２は、操作信号検出部９１からの操作信号に応じて、制御信号Scをカードリーダライタ電源継電部８３に出力する。そして、カードリーダライタ電源継電部８３では、制御信号Scに応じて、カードリーダライタ電源スイッチS4がオンされることで、バッテリ８２からの電力がカードリーダライタ７１に供給される。これより、バッテリ８２から電力が供給されたカードリーダライタ７１は、駆動を開始することになる。
【００８９】
ステップＳ１３において、カムコーダ機能ブロック８１は、シリアル通信路８４を介してカードリーダライタ７１を制御する、すなわち、カードリーダライタコントローラ部７１Ｂを制御して、カードリーダライタアンテナ部７１Ａの状態を監視することにより、NFCカード６２との近接通信が可能であるかを判定する。
【００９０】
ステップＳ１３において、NFCカード６２との近接通信が可能であると判定された場合、ステップＳ１４において、NFCカード認証部９３は、近接通信を行うNFCカード６２を認証する。具体的には、NFCカード認証部９３は、NFCカード６２にあらかじめ記憶されている製造IDなどの認証情報を取得し、その認証情報と、カムコーダ６１にあらかじめ記憶されているNFCカード６２の製造IDなどの認証情報とを比較して認証を行う。
【００９１】
ステップＳ１５において、NFCカード認証部９３は、認証の結果に基づいて、認証されたNFCカード６２が正当なNFCカードであるかを判定する。
【００９２】
ステップＳ１５において、正当なNFCカードであると判定された場合、ステップＳ１６において、主電源制御部９４ａは、カムコーダ６１の主電源をオンする。具体的には、主電源制御部９４ａは、例えば、バッテリ８２からの電力がカムコーダ６１の各部に供給されるように、カムコーダ６１の各部を制御する。
【００９３】
ステップＳ１７において、操作信号検出部９１は、電源スイッチS1からの、ユーザにより電源スイッチS1が解除されたことを示す操作信号を検出する。操作信号検出部９１は、検出の結果に基づいて、ユーザにより電源スイッチS1が解除されたかを判定する。
【００９４】
ステップＳ１７において、電源スイッチS1からの、ユーザにより電源スイッチS1が解除されたことを示す操作信号が検出されずに、ユーザにより電源スイッチS1が解除されていないと判定された場合、ステップＳ１７に戻り、上述した処理が繰り返される。すなわち、ユーザが電源スイッチS1を解除することにより、操作信号検出部９１は、電源スイッチS1からの操作信号を検出し、ステップＳ１７において、電源スイッチS1が解除されたと判定されるまで、ステップＳ１７の処理が繰り返される。
【００９５】
一方、ステップＳ１７において、電源スイッチS1が解除されたと判定された場合、ステップＳ１８において、カードリーダライタ電源制御部９２は、カードリーダライタ７１の電源をオフして、図５のカムコーダ６１による、電源スイッチS1押し下げ時の処理は終了する。具体的には、カードリーダライタ電源制御部９２は、操作信号検出部９１からの操作信号に応じて、制御信号Scをカードリーダライタ電源継電部８３に出力する。そして、カードリーダライタ電源継電部８３では、制御信号Scに応じて、カードリーダライタ電源スイッチS4がオフされることで、バッテリ８２からカードリーダライタ７１に供給されていた電力が停止される。これにより、バッテリ８２からの電力が停止されたカードリーダライタ７１は、その駆動を停止することになる。
【００９６】
これにより、カードリーダライタ７１を使用するときだけ、カードリーダライタ７１に電力が供給されるので、カードリーダライタ７１によるバッテリ８２の消耗を防ぐことができる。
【００９７】
また、ステップＳ１３において、NFCカード６２と近接通信を行うことができないと判定された場合、ステップＳ１４乃至ステップＳ１７の処理をスキップして、ステップＳ１８において、カードリーダライタ電源制御部９２は、カードリーダライタ７１の電源をオフする。すなわち、カムコーダ６１は、例えば、NFCカード６２との位置関係などにより、近接通信を行うことができないので、カードリーダライタ７１の電源をオフして、カードリーダライタ７１に電源が供給されないようにする。
【００９８】
同様に、ステップＳ１５において、正当なNFCカードではないと判定された場合、ステップＳ１６およびステップＳ１７の処理をスキップして、ステップＳ１８において、カードリーダライタ電源制御部９２は、カードリーダライタ７１の電源をオフする。すなわち、不正なNFCカードが使用された場合、そのNFCカードではカムコーダ６１を利用できないようにするので、カムコーダ６１は、ステップＳ１６において、主電源をオンする処理をスキップして、自分を使用できないようにするとともに（すなわち、カムコーダ６１の主電源はオフのままである）、ステップＳ１８において、電力が供給されて駆動しているカードリーダライタ７１への電力の供給を停止し、カードリーダライタ７１の電源をオフする。
【００９９】
以上のように、カムコーダ６１は、ユーザの操作によって、電源スイッチS1が押し下げられたとき、カードリーダライタ７１の電源をオンし、電源スイッチS1が解除されたとき、その電源をオフする。そして、カムコーダ６１は、カードリーダライタ７１が駆動している間に、正当なNFCカード６２が翳されたとき、自分の主電源をオンして、ユーザに対して、各種の機能を使用できるようにする。
【０１００】
換言すれば、ユーザは、カムコーダ６１の電源スイッチS1を押し下げたまま、NFCカード６２をカードリーダライタアンテナ部７１Ａに翳すことで、はじめてカムコーダの主電源を投入することができる。これにより、特定のNFCカード６２を持ったユーザだけがカムコーダ６１を使用することができるようになる。
【０１０１】
次に、図１０のフローチャートを参照して、図５のカムコーダ６１による、記録イネーブルスイッチS2押し下げ時の処理について説明する。
【０１０２】
ステップＳ３１において、操作信号検出部９１は、記録イネーブルスイッチS2からの、ユーザにより記録イネーブルスイッチS2が押し下げられたことを示す操作信号を検出する。操作信号検出部９１は、検出の結果に基づいて、ユーザにより記録イネーブルスイッチS2が押し下げられたかを判定する。
【０１０３】
ステップＳ３１において、記録イネーブルスイッチS2からの操作信号が検出されずに、ユーザにより記録イネーブルスイッチS2が押し下げられていないと判定された場合、ステップＳ３１に戻り、上述した処理が繰り返される。すなわち、ユーザが記録イネーブルスイッチS2を押し下げることにより、操作信号検出部９１は、記録イネーブルスイッチS2からの操作信号を検出し、ステップＳ３１において、記録イネーブルスイッチS2が押し下げられたと判定されるまで、ステップＳ３１の処理が繰り返される。
【０１０４】
ステップＳ３２乃至ステップＳ３５において、図９のステップＳ１２乃至ステップＳ１５における場合と同様に、カードリーダライタ電源制御部９２によるカードリーダライタ７１の電源をオンにする処理と、NFCカード認証部９３によるNFCカード６２の認証の処理が行われる。
【０１０５】
ステップＳ３６において、記録動作制御部９４ｂは、カムコーダ６１の記録動作のイネーブルとディスエーブルとを切り替える。具体的には、記録動作制御部９４ｂは、例えば、カムコーダ６１が記録の動作を行うことができるように、カムコーダ６１の記録の動作を行う各部を制御する。
【０１０６】
ステップＳ３７において、操作信号検出部９１は、記録イネーブルスイッチS2からの、ユーザにより記録イネーブルスイッチS2が解除されたことを示す操作信号を検出する。操作信号検出部９１は、検出の結果に基づいて、ユーザにより記録イネーブルスイッチS2が解除されたかを判定する。
【０１０７】
ステップＳ３７において、記録イネーブルスイッチS2からの、ユーザにより記録イネーブルスイッチS2が解除されたことを示す操作信号が検出されずに、ユーザにより記録イネーブルスイッチS2が解除されていないと判定された場合、ステップＳ３７に戻り、上述した処理が繰り返される。すなわち、ユーザが記録イネーブルスイッチS2を解除することにより、操作信号検出部９１は、記録イネーブルスイッチS2からの操作信号を検出し、ステップＳ３７において、記録イネーブルスイッチS2が解除されたと判定されるまで、ステップＳ３７の処理が繰り返される。
【０１０８】
一方、ステップＳ３７において、記録イネーブルスイッチS2が解除されたと判定された場合、処理は、ステップＳ３８に進む。ステップＳ３８において、図９のステップＳ１８における場合と同様に、カードリーダライタ電源制御部９２によるカードリーダライタ７１の電源をオフにする処理が行われる。
【０１０９】
これにより、カードリーダライタ７１を使用するときだけ、カードリーダライタ７１に電力が供給されるので、カードリーダライタ７１によるバッテリ８２の消耗を防ぐことができる。
【０１１０】
以上のように、カムコーダ６１は、ユーザの操作によって、記録イネーブルスイッチS2が押し下げられたとき、カードリーダライタ７１の電源をオンし、記録イネーブルスイッチS2が解除されたとき、電源をオフする。そして、カムコーダ６１は、カードリーダライタ７１が駆動している間に、ユーザにより正当なNFCカード６２が翳されたとき、記録の動作を行う各部を制御して、ユーザが記録の操作を行うことができるようにする。
【０１１１】
換言すれば、ユーザは、カムコーダ６１の記録イネーブルスイッチS2を押し下げたまま、NFCカード６２をカードリーダライタアンテナ部７１Ａに翳すことで、カムコーダ６１の記録動作のイネーブルとディスエーブルとを切り替えることができる。これにより、ユーザは、例えば、カムコーダ６１の記録動作をイネーブルからディスエーブルに切り替えることにより、記録済みの記録媒体に誤って上書きをしてしまうことを防ぐことができる。
【０１１２】
次に、図１１のフローチャートを参照して、図５のカムコーダ６１による、暗号化鍵設定スイッチS3押し下げ時の処理について説明する。
【０１１３】
ステップＳ５１において、操作信号検出部９１は、暗号化鍵設定スイッチS3からの、ユーザにより暗号化鍵設定スイッチS3が押し下げられたことを示す操作信号を検出する。操作信号検出部９１は、検出の結果に基づいて、ユーザにより暗号化鍵設定スイッチS3が押し下げられたかを判定する。
【０１１４】
ステップＳ５１において、暗号化鍵設定スイッチS3からの操作信号が検出されずに、ユーザにより暗号化鍵設定スイッチS3が押し下げられていないと判定された場合、ステップＳ５１に戻り、上述した処理が繰り返される。すなわち、ユーザが暗号化鍵設定スイッチS3を押し下げることにより、操作信号検出部９１は、暗号化鍵設定スイッチS3からの操作信号を検出し、ステップＳ５１において、暗号化鍵設定スイッチS3が押し下げられたと判定されるまで、ステップＳ５１の処理が繰り返される。
【０１１５】
ステップＳ５２乃至ステップＳ５５において、図９のステップＳ１２乃至ステップＳ１５における場合と同様に、カードリーダライタ電源制御部９２によるカードリーダライタ７１の電源をオンにする処理と、NFCカード認証部９３によるNFCカード６２の認証の処理が行われる。
【０１１６】
ステップＳ５６において、暗号鍵取得制御部９４ｃは、NFCカード６２から暗号化または復号化の鍵を取得する。具体的には、暗号鍵取得制御部９４ｃは、例えば、シリアル通信路８４を介してカードリーダライタ７１を制御して、カードリーダライタ７１とNFCカード６２とが近接通信を行うことにより、NFCカード６２から鍵を取得する。暗号鍵取得制御部９４ｃは、取得した鍵を、例えば、カムコーダ６１の記録や再生の動作を行う各部に供給する。
【０１１７】
ステップＳ５７において、操作信号検出部９１は、暗号化鍵設定スイッチS3からの、ユーザにより暗号化鍵設定スイッチS3が解除されたことを示す操作信号を検出する。操作信号検出部９１は、検出の結果に基づいて、ユーザにより暗号化鍵設定スイッチS3が解除されたかを判定する。
【０１１８】
ステップＳ５７において、暗号化鍵設定スイッチS3からの、ユーザにより暗号化鍵設定スイッチS3が解除されたことを示す操作信号が検出されずに、ユーザにより暗号化鍵設定スイッチS3が解除されていないと判定された場合、ステップＳ５７に戻り、上述した処理が繰り返される。すなわち、ユーザが暗号化鍵設定スイッチS3を解除することにより、操作信号検出部９１は、暗号化鍵設定スイッチS3からの操作信号を検出し、ステップＳ５７において、暗号化鍵設定スイッチS3が解除されたと判定されるまで、ステップＳ５７の処理が繰り返される。
【０１１９】
一方、ステップＳ５７において、暗号化鍵設定スイッチS3が解除されたと判定された場合、処理は、ステップＳ５８に進む。ステップＳ５８において、図９のステップＳ１８における場合と同様に、カードリーダライタ電源制御部９２によるカードリーダライタ７１の電源をオフにする処理が行われる。
【０１２０】
これにより、カードリーダライタ７１を使用するときだけ、カードリーダライタ７１に電力が供給されるので、カードリーダライタ７１によるバッテリ８２の消耗を防ぐことができる。
【０１２１】
以上のように、カムコーダ６１は、ユーザの操作によって、暗号化鍵設定スイッチS3が押し下げられたとき、カードリーダライタ７１の電源をオンし、暗号化鍵設定スイッチS3が解除されたとき、電源をオフする。そして、カムコーダ６１は、カードリーダライタ７１が駆動している間に、正当なNFCカード６２が翳されたとき、カードリーダライタ７１を制御して、NFCカード６２に記憶されている暗号化または復号化の鍵を取得する。
【０１２２】
換言すれば、ユーザがカムコーダ６１の暗号化鍵設定スイッチS3を押し下げたまま、NFCカード６２をカードリーダライタアンテナ部７１Ａに翳すことで、カムコーダ６１では、NFCカード６２内に書き込まれている鍵の値が読み込まれ、その読み込まれた鍵は、記録動作時の暗号化や、再生動作時の復号化の鍵として用いられる。これにより、NFCカード６２の持ち主により記録された記録媒体は、そのNFCカード６２の持ち主だけが再生させることができるようになる。
【０１２３】
すなわち、以上の方法により、電源スイッチS1乃至暗号化鍵設定スイッチS3の押下状態と、カードリーダライタ７１の電源状態とを連動させることにより、カードリーダライタ７１への電源供給時間を短縮できるので、バッテリ８２の消耗を抑えることができる。
【０１２４】
ところで、上述した例においては、３つのスイッチに、NFCカード６２との連携が必要な機能をそれぞれ割り当てておくことで、ユーザによるスイッチ操作により機能の選択を行えると同時に、カードリーダライタ７１の電源供給を開始する例について説明したが、スイッチの数は、１つ、２つ、または４つ以上などであってもよく、各スイッチに対して各種の機能を割り当て、その割り当てた機能と、カードリーダライタ７１の電源状態とを連動させればよい。また、カムコーダ６１は、NFCカード６２により指定される各種の機能にしたがって、その機能に対応した動作するようにしてもよい。
【０１２５】
したがって、以下、図１２乃至１６を参照して、スイッチが１つ設けられたカムコーダ１１１と、そのカムコーダ１１１と近接通信を行うNFCカード１１２とからなるNFCカードシステム１０１について説明する。なお、このNFCカード１１２は、カムコーダ１１１の各種の機能を示す情報を記憶している。
【０１２６】
図１２は、本発明を適用したカムコーダ１１１と、NFCカード１１２からなるNFCカードシステム１０１の実施の形態を示すブロック図である。なお、図５と対応する部分については、同一の符号が付してあり、処理が同じ部分に関しては、その説明は繰り返しになるので省略する。
【０１２７】
すなわち、NFCカードシステム１０１では、図５のNFCカードシステム５１と比較して、電源スイッチS1乃至暗号化鍵設定スイッチS3が設けられたカムコーダ６１の代わりに、カードスイッチS5が設けられたカムコーダ１１１、NFCカード６２の代わりに、カムコーダ１１１に対して各種の機能に対応した動作を行わせるためのファイル（以下、カムコーダ機能ファイルと称する）を記憶しているNFCカード１１２が設けられている。
【０１２８】
NFCカードシステム１０１においては、リーダライタ機能を有しているカムコーダ１１１と、NFCカード１１２とは、例えば、13.56MHzなどの所定の周波数の電波を使用した、電磁誘導による近接通信を行う。
【０１２９】
カムコーダ１１１には、カムコーダ６１と同様に、カードリーダライタ７１が内蔵されており、そのアンテナであるカードリーダライタアンテナ部７１Ａも同様に表示部の部位に設けられる。また、カムコーダ１１１には、NFCカード１１２に記憶されているカムコーダ機能ファイルの内容に基づいた動作を実行させるためのカードスイッチS5が設けられている。
【０１３０】
カムコーダ１１１は、近接通信により、NFCカード１１２から受信したカムコーダ機能ファイルに基づいて、各種の機能に対応した動作を行う。なお、カムコーダ１１１の詳細な構成は、図１５を参照して後述する。
【０１３１】
NFCカード１１２は、例えば、NFCチップなどを内蔵し、リーダライタ機能を有しているカムコーダ６１との間で、近接通信を行う。また、NFCカード１１２は、カムコーダ機能ファイルを記憶しており、近接通信により、そのカムコーダ機能ファイルをカムコーダ１１１に送信する。なお、NFCカード１１２は、図５のNFCカード６２と同様の機能を有するので、その詳細な構成は、図８を参照して説明した、NFCカード６２の詳細な構成の例と同様となるため、その説明は繰り返しになるので省略する。すなわち、カムコーダ機能ファイルは、記憶部６２Ｇに記憶されている。
【０１３２】
ここで、図１３および図１４を参照して、カムコーダ機能ファイルの詳細について説明する。
【０１３３】
まず、図１３を参照して、NFCカード１１２の記憶部６２Ｇに記憶されているカムコーダ機能ファイルのファイル構造について説明する。
【０１３４】
カムコーダ機能ファイルにおいては、図１３の例に示すように、MF（Master File）１３は、マスターファイルであって、カムコーダ機能ファイルのルートとなるファイルである。また、DF（Dedicated File）１４は、MF１３に従属しているサブディレクトリであり、EF（Elementary File）１５は、DF１４に従属しているファイルである。すなわち、EFおよびDFは、MFまたはDFに従属することができる。
【０１３５】
また、MF,DF,EFのそれぞれには、例えば、１６進数４桁の名前が付されており、例えば、MF１３には“1000”、DF１４には“2000”、EF１５とEF１６には“0001”である名前が付されている。図１３の例では、これらの名前を用いることにより、例えば、MF１３を起点としたツリー構造としてみると、例えば、EF１５は“1000/2000/0001”、EF１６は“1000/0001”といった具合に、これらの名前によって、ツリー構造を構成する特定のカムコーダ機能ファイルを指定することができる。
【０１３６】
すなわち、NFCカード１１２は、近接通信により、例えば、EF１６であるカムコーダ機能ファイル、すなわち、“1000/0001”であるカムコーダ機能ファイル（以下、1000/0001ファイルと称する）をカムコーダ１１１に送信し、カムコーダ１１１は、そのカムコーダ機能ファイルの内容によって、各種の機能に対応した動作を行う。
【０１３７】
ここで、1000/0001ファイルには、図１４の例で示すように、例えば、“power”，“rec_enable”，“key”などの文字列が書かれていることになる。具体的には、1000/0001ファイルには、図１４の例の３つの文字列のうちの１つ、例えば、“power”が書かれており、ユーザによってNFCカード１１２を翳されて、1000/0001ファイルを取得したカムコーダ１１１は、1000/0001ファイルに書かれている“power”である文字列にしたがって、自分の主電源をオンする。
【０１３８】
また、同様に、“rec_enable”である文字列が1000/0001ファイルに書かれている場合、カムコーダ１１１は、図１４の表の例で示すように、ユーザによってNFCカード１１２を翳されたとき、自分の記録動作のイネーブルとディスエーブルとを切り替える。同様に、“key”である文字列が1000/0001ファイルに書かれている場合、カムコーダ１１１は、図１４の表の例で示すように、ユーザによってNFCカード１１２を翳されたとき、NFCカード１１２から暗号化または復号化の鍵を取得し、例えば、その鍵を自分の記録や再生を行う各部に設定する。なお、取得する鍵は、例えば、EF１５であるカムコーダ機能ファイル、すなわち、“1000/2000/0001”であるカムコーダ機能ファイル（以下、1000/2000/0001ファイルと称する）に記載される。これにより、カムコーダ１１１は、NFCカード１１２に記憶された1000/2000/0001ファイルを読み出して、そこから鍵を取得することになる。
【０１３９】
なお、カムコーダ機能ファイルに文字列を書き込む方法であるが、例えば、1000/0001ファイルに文字列を書き込む場合、カムコーダ１１１に設けられている表示ディスプレイからなる表示部に設定用の画面を表示することで、その画面を確認したユーザは、所定のスイッチを操作して、“rec_enable”，“key”などの文字列を選択または入力する。そして、カムコーダ１１１は、ユーザによる文字列の選択に応じて、近接通信により、その文字列をNFCカード１１２の記憶部６２Ｇに記憶させることにより、カムコーダ機能ファイルに文字列を書き込む。
【０１４０】
また、例えば、それらの文字列を設定する方法は、パーソナルコンピュータを用いるようにしてもよい。この場合、例えば、パーソナルコンピュータとカードリーダライタ（例えば、カードリーダライタ７１を備えるカムコーダ１１１）とを接続させることにより、ユーザは、パーソナルコンピュータの画面上を確認しながら、マウスやキーボードなどの入力装置を使用して、文字列を選択または入力する。そして、パーソナルコンピュータは、ユーザによる文字列の選択に応じて、カードリーダライタによる近接通信により、その文字列をNFCカード１１２の記憶部６２Ｇに記憶させることにより、カムコーダ機能ファイルに文字列を書き込む。
【０１４１】
また、上述した、ユーザの操作により、その操作に応じた文字列をNFCカード１１２に書き込む他に、もちろん、それらの文字列をあらかじめNFCカード１１２に記憶させておくことも可能である。これにより、例えば、ユーザは、あらかじめ特別な機能を示している文字列を記憶しているNFCカード１１２を購入して、カムコーダ１１１に翳すことによって、NFCカード１１２が翳されたカムコーダ１１１を操作して、その特別な機能を利用することができる。
【０１４２】
図１５は、カムコーダ１１１の詳細な構成の例を説明するブロック図である。なお、図６と対応する部分については、同一の符号が付してあり、処理が同じ部分に関しては、その説明は繰り返しになるので省略する。
【０１４３】
カムコーダ１１１は、カードスイッチS5、カードリーダライタ７１、バッテリ８２、カードリーダライタ電源継電部８３、およびカムコーダ機能ブロック１２１を含むようにして構成される。すなわち、カムコーダ１１１では、図６のカムコーダ６１と比較して、電源スイッチS1乃至暗号化鍵設定スイッチS3の代わりに、カードスイッチS5が設けられ、カムコーダ機能ブロック８１の代わりに、カムコーダ機能ブロック１２１が設けられている。
【０１４４】
カードスイッチS5は、ユーザにより押し下げられた場合、自分が押し下げられていることを示す操作信号をカムコーダ機能ブロック１２１に供給する。
【０１４５】
カムコーダ機能ブロック１２１は、カードスイッチS5からの操作信号に基づいて、カードリーダライタ７１、バッテリ８２、またはカードリーダライタ電源継電部８３を制御することにより、カードリーダライタ７１への電源の供給を制御する。また、カムコーダ機能ブロック１２１は、カードスイッチS5からの操作信号に応じた、カムコーダ１１１の各種の動作を制御する。
【０１４６】
カムコーダ機能ブロック１２１は、操作信号検出部９１、カードリーダライタ電源制御部９２、NFCカード認証部９３、およびカムコーダ制御部１３１を含むようにして構成される。すなわち、カムコーダ機能ブロック１２１は、図６のカムコーダ機能ブロック８１と比較して、カムコーダ制御部９４の代わりに、カムコーダ制御部１３１が設けられている。
【０１４７】
カムコーダ制御部１３１は、ファイル取得制御部１３１ａおよびカムコーダ動作制御部１３１ｂを含むようにして構成される。
【０１４８】
ファイル取得制御部１３１ａは、NFCカード１１２からカムコーダ機能ファイルを取得する。ファイル取得制御部１３１ａは、取得したカムコーダ機能ファイルをカムコーダ動作制御部１３１ｂに供給する。具体的には、ファイル取得制御部１３１ａは、シリアル通信路８４を介してカードリーダライタ７１を制御して、近接通信によりNFCカード１１２の記憶部６２Ｇから1000/0001ファイルを受信させることで、1000/0001ファイルを取得し、その1000/0001ファイルをカムコーダ動作制御部１３１ｂに供給する。
【０１４９】
カムコーダ動作制御部１３１ｂは、ファイル取得制御部１３１ａから供給されるカムコーダ機能ファイルに書かれた文字列の機能に対応する各種の動作を制御する。具体的には、カムコーダ動作制御部１３１ｂは、ファイル取得制御部１３１ａからの1000/0001ファイルに書かれた“power”である文字列にしたがって、カムコーダ１１１の主電源をオンする。
【０１５０】
次に、図１６のフローチャートを参照して、図１２のカムコーダ１１１による、カードスイッチS5押し下げの処理について説明する。
【０１５１】
ステップＳ７１において、操作信号検出部９１は、カードスイッチS5からの、ユーザによりカードスイッチS5が押し下げられたことを示す操作信号を検出する。操作信号検出部９１は、検出の結果に基づいて、ユーザによりカードスイッチS5が押し下げられたかを判定する。
【０１５２】
ステップＳ７１において、カードスイッチS5からの操作信号が検出されずに、ユーザによりカードスイッチS5が押し下げられていないと判定された場合、ステップＳ７１に戻り、上述した処理が繰り返される。すなわち、ユーザがカードスイッチS5を押し下げることにより、操作信号検出部９１は、カードスイッチS5からの操作信号を検出し、ステップＳ７１において、カードスイッチS5が押し下げられたと判定されるまで、ステップＳ７１の処理が繰り返される。
【０１５３】
ステップＳ７２乃至ステップＳ７５において、図９のステップＳ１２乃至ステップＳ１５における場合と同様に、カードリーダライタ電源制御部９２によるカードリーダライタ７１の電源をオンにする処理と、NFCカード認証部９３によるNFCカード１１２の認証の処理が行われる。
【０１５４】
ステップＳ７６において、ファイル取得制御部１３１ａは、NFCカード１１２からカムコーダ機能ファイルを取得する。具体的には、ファイル取得制御部１３１ａは、シリアル通信路８４を介してカードリーダライタ７１を制御して、近接通信によりNFCカード１１２の記憶部６２Ｇから1000/0001ファイルを受信させることで、1000/0001ファイルを取得する。
【０１５５】
ステップＳ７７において、カムコーダ動作制御部１３１ｂは、カムコーダ機能ファイルに書かれた文字列の機能に対応するカムコーダ１１１の動作を制御する。具体的には、カムコーダ動作制御部１３１ｂは、ファイル取得制御部１３１ａからの1000/0001ファイルに書かれた“power”である文字列にしたがって、カムコーダ１１１の主電源をオンする。
【０１５６】
ステップＳ７８において、操作信号検出部９１は、カードスイッチS5からの、ユーザによりカードスイッチS5が解除されたことを示す操作信号を検出する。操作信号検出部９１は、検出の結果に基づいて、ユーザによりカードスイッチS5が解除されたかを判定する。
【０１５７】
ステップＳ７８において、カードスイッチS5からの、ユーザによりカードスイッチS5が解除されたことを示す操作信号が検出されずに、ユーザによりカードスイッチS5が解除されていないと判定された場合、ステップＳ７８に戻り、上述した処理が繰り返される。すなわち、ユーザがカードスイッチS5を解除することにより、操作信号検出部９１は、カードスイッチS5からの操作信号を検出し、ステップＳ７８において、カードスイッチS5が解除されたと判定されるまで、ステップＳ７８の処理が繰り返される。
【０１５８】
一方、ステップＳ７８において、カードスイッチS5が解除されたと判定された場合、処理は、ステップＳ７９に進む。ステップＳ７９において、図９のステップＳ１８における場合と同様に、カードリーダライタ電源制御部９２によるカードリーダライタ７１の電源をオフにする処理が行われる。
【０１５９】
以上のように、カムコーダ１１１は、ユーザの操作によって、カードスイッチS5が押し下げられたとき、カードリーダライタ７１の電源をオンし、カードスイッチS5が解除されたとき、電源をオフする。そして、カムコーダ１１１は、カードリーダライタ７１が駆動している間に、ユーザにより正当なNFCカード１１２が翳されたとき、そのNFCカード１１２からカムコーダ機能ファイルを取得し、取得したカムコーダ機能ファイルに含まれる文字列に対応する各種の動作を行う。
【０１６０】
これにより、カードリーダライタ７１を使用するときだけ、カードリーダライタ７１に電力が供給されるので、カードリーダライタ７１によるバッテリ８２の消耗を防ぐことができる。
【０１６１】
このようにすることで、リーダライタによるバッテリの消耗を防ぐとともに、その際の機器の使い勝手をよくすることができる。
【０１６２】
また、カムコーダ６１とNFCカード６２とを組み合わせて使用することにより、機器を使用するユーザを限定したり、記録媒体への記録操作を制限したり、記録媒体への記録データを暗号化したりすることができる。これにより、カムコーダ６１は、カードリータライタ７１を内蔵したバッテリ使用のモバイル機器であるにもかかわらず、従来とほとんど変わらない消費電力を実現することができるので、例えば、撮影時間を短くすることなくNFCカード６２の使用を可能にしている。また、カードリーダライタ７１への電源供給時間を最短にできるので、従来と比べて、機器のバッテリ消耗をおさえることができるので、その機器の使用時間を延ばすことができる。
【０１６３】
さらに、例えば、電源スイッチS1乃至暗号化鍵設定スイッチS3、またはカードスイッチS5などの機能選択スイッチと、カードリーダライタ７１への電源供給がカムコーダ６１またはカムコーダ１１１の内部で連動しているので、ユーザの使い勝手を変えることなくカムコーダ６１またはカムコーダ１１１の使用時間を延ばすことができる。また、カードリーダライタ７１の動作時、カードリーダライタ７１に対する電源供給が絞られることがないので、例えば、従来のノートパソコンなどで行われている節電のケースとは異なり、NFCカード６２またはNFCカード１１２をカードリーダライタ７１のより近くに翳さなければならないといった不便は生じない。
【０１６４】
なお、カムコーダ６１またはカムコーダ１１１は、リーダライタ機能を有している、すなわち、リーダ機能とライタ機能の両方を有しているが、もちろん、リーダ機能だけを有しているカムコーダであってもよい。また、本実施の形態では、情報処理装置の一例として、カムコーダ６１またはカムコーダ１１１を用いる例を示したが、例えば、デジタルスチルカメラ、携帯電話機、ノートパソコン、携帯情報端末（Personal Digital Assistants）、リモートコントローラ、ゲーム機器、マルチメディア端末、携帯用オーディオ機器などの、バッテリにより駆動されるとともに、NFCカード６２またはNFCカード１１２と近接通信を行うためのリーダライタ機能を有している装置を用いるようにすることもできる。
【０１６５】
また、カムコーダ６１またはカムコーダ１１１と非接触の近接通信を行う機器は、NFCカードに限らず、例えば、RFタグなどであってもよい。
【０１６６】
さらにまた、電源スイッチS1乃至暗号化鍵設定スイッチS3、およびカードスイッチS5の各スイッチの機能を固定せずに、例えば、ユーザにより動的に割り当てられるようにしてもよい。また、電源スイッチS1乃至暗号化鍵設定スイッチS3、およびカードスイッチS5は、機械的な押しボタンスイッチに限らず、例えば、スライドスイッチや回転スイッチ、キーボードなどの機械的なスイッチであったり、タッチスイッチなどの電子的なスイッチであったり、LCD（Liquid Crystal Display）の画面上に透過するように設けられたタッチパネルなどであってもよい。
【０１６７】
また、カムコーダ６１またはカムコーダ１１１の記録媒体は、リムーバブルメディア（例えば、テープや光ディスク、メモリカードなど）の他に、例えば、内蔵された装置（例えば、ハードディスクやメモリなど）であってもよい。また、カムコーダ６１またはカムコーダ１１１のカードリーダライタアンテナ部７１Ａと近接通信可能となる位置にカードフォルダを設けることにより、そのカードフォルダにNFCカード６２またはNFCカード１１２を入れて、一時的に固定するようにしてもよい。
【０１６８】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１６９】
図１７は、上述した一連の処理をプログラムにより実行するパーソナルコンピュータの構成の例を示すブロック図である。CPU（Central Processing Unit）２１１は、ROM２１２、または記録部２１８に記録されているプログラムに従って各種の処理を実行する。RAM（Random Access Memory）２１３には、CPU２１１が実行するプログラムやデータなどが適宜記憶される。これらのCPU２１１、ROM２１２、およびRAM２１３は、バス２１４により相互に接続されている。
【０１７０】
CPU２１１にはまた、バス２１４を介して入出力インターフェース２１５が接続されている。入出力インターフェース２１５には、マイクロホンなどよりなる入力部２１６、ディスプレイ、スピーカなどよりなる出力部２１７が接続されている。CPU２１１は、入力部２１６から入力される指令に対応して各種の処理を実行する。そして、CPU２１１は、処理の結果を出力部２１７に出力する。
【０１７１】
入出力インターフェース２１５に接続されている記録部２１８は、例えばハードディスクからなり、CPU２１１が実行するプログラムや各種のデータを記録する。通信部２１９は、インターネットやローカルエリアネットワークなどのネットワークを介して外部の装置と通信する。
【０１７２】
また、通信部２１９を介してプログラムを取得し、記録部２１８に記録してもよい。
【０１７３】
入出力インターフェース２１５に接続されているドライブ２２０は、磁気ディスク、光ディスク、光磁気ディスク、或いは半導体メモリなどのリムーバブルメディア２２１が装着されたとき、それらを駆動し、そこに記録されているプログラムやデータなどを取得する。取得されたプログラムやデータは、必要に応じて記録部２１８に転送され、記録される。
【０１７４】
コンピュータにインストールされ、コンピュータによって実行可能な状態とされるプログラムを格納するプログラム記録媒体は、図１７に示すように、磁気ディスク（フレキシブルディスクを含む）、光ディスク（CD-ROM(Compact Disc-Read Only Memory),DVD(Digital Versatile Disk)を含む）、光磁気ディスク、もしくは半導体メモリなどよりなるパッケージメディアであるリムーバブルメディア２２１、または、プログラムが一時的もしくは永続的に格納されるROM２１２や、記録部２１８を構成するハードディスクなどにより構成される。プログラム記録媒体へのプログラムの格納は、必要に応じてルータ、モデムなどのインターフェースである通信部２１９を介して、ローカルエリアネットワーク、インターネット、デジタル衛星放送といった、有線または無線の通信媒体を利用して行われる。
【０１７５】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１７６】
また、本明細書において、システムとは、複数の装置により構成される装置全体を表すものである。
【０１７７】
また、本発明の実施の形態は、上述した実施の形態に限定されるものではなく、本発明の要旨を逸脱しない範囲において種々の変更が可能である。
【図面の簡単な説明】
【０１７８】
【図１】従来のモバイル機器とNFCカードによる近接通信について説明する図である。
【図２】従来のモバイル機器とNFCカードによる近接通信について説明する図である。
【図３】従来のカードリーダライタとNFCチップを内蔵した携帯電話機による近接通信について説明する図である。
【図４】従来のカードリーダライタを内蔵したノートパソコンとNFCカードによる近接通信について説明する図である。
【図５】本発明を適用したカムコーダと、NFCカードからなるNFCカードシステムの一実施の形態の構成を示すブロック図である。
【図６】図５のカムコーダの詳細な構成の例を示すブロック図である。
【図７】図６のカードリーダライタの詳細な構成の例を説明するブロック図である。
【図８】図５のNFCカードの詳細な構成の例を説明するブロック図である。
【図９】図５のカムコーダによる、電源スイッチ押し下げ時の処理について説明するフローチャートである。
【図１０】図５のカムコーダによる、記録イネーブルスイッチ押し下げ時の処理について説明するフローチャートである。
【図１１】図５のカムコーダによる、暗号化鍵設定スイッチ押し下げ時の処理について説明するフローチャートである。
【図１２】本発明を適用したカムコーダと、NFCカードからなるNFCカードシステムの他の実施の形態を示すブロック図である。
【図１３】カムコーダ機能ファイルの詳細について説明する図である。
【図１４】カムコーダ機能ファイルの詳細について説明する図である。
【図１５】図１２のカムコーダの詳細な構成の例を説明するブロック図である。
【図１６】図１２のカムコーダによる、カードスイッチ押し下げの処理について説明するフローチャートである。
【図１７】パーソナルコンピュータの構成を示すブロック図である。
【符号の説明】
【０１７９】
５１  NFCカードシステム，  ６１  カムコーダ，  ６２  NFCカード，  ７１  カードリーダライタ，  ７１Ａ  カードリーダライタアンテナ部，  ７１Ｂ  カードリーダライタコントローラ部，  ８１  カムコーダ機能ブロック，  ８２  バッテリ，  ８３  カードリーダライタ電源継電部，  ９１  操作信号検出部，  ９２  カードリーダライタ電源制御部，  ９３  NFCカード認証部，  ９４  カムコーダ制御部，  ９４ａ  主電源制御部，  ９４ｂ  記録動作制御部，  ９４ｃ  暗号鍵取得制御部，  １０１  NFCカードシステム，  １１１  カムコーダ，  １１２  NFCカード，  １２１  カムコーダ機能ブロック，  １３１  カムコーダ制御部，  １３１ａ  ファイル取得制御部，  １３１ｂ  カムコーダ動作制御部，  S1  電源スイッチ，  S2  記録イネーブルスイッチ，  S3  暗号化鍵設定スイッチ，  S4  カードリーダライタ電源スイッチ，  S5  カードスイッチ
【図１】
2007304870.tif 000003
【図２】
2007304870.tif 000004
【図３】
2007304870.tif 000005
【図４】
2007304870.tif 000006
【図５】
2007304870.tif 000007
【図６】
2007304870.tif 000008
【図７】
2007304870.tif 000009
【図８】
2007304870.tif 000010
【図９】
2007304870.tif 000011
【図１０】
2007304870.tif 000012
【図１１】
2007304870.tif 000013
【図１２】
2007304870.tif 000014
【図１３】
2007304870.tif 000015
【図１４】
2007304870.tif 000016
【図１５】
2007304870.tif 000017
【図１６】
2007304870.tif 000018
【図１７】
2007304870.tif 000019